(57)【要約】【課題】圧縮エア駆動式の釘打ち機等のエア工具に駆動源としての圧縮エアを供給するためのエアコンプレッサであって、レシプロ式に比してより低振動かつ低騒音のスクロール式のエアコンプレッサについて、従来定置式のものが提供されていた。本発明は、より携帯性を高めるために使用者が身に付けて携帯できるコンパクトなエアコンプレッサを提供することを目的とする。【解決手段】スクロール式のエアコンプレッサにおいて、使用者が身に付けるための身に付け具を装着可能として、両手が空いた手ぶら状態で携帯できるようにする。身に付け具としては、肩掛けベルト、腰ベルト、背負いベルトを装着可能な構成とする。【選択図】図９
2015086859.tif 000002
【特許請求の範囲】
【請求項１】
電動モータを駆動源として、固定側スクロールに対して可動側スクロールを旋回運動させて圧縮エアを生成するスクロール式のエア生成部を内装したコンプレッサ本体と、該コンプレッサ本体を使用者が身に付けて携帯するための身に付け具を備えたエアコンプレッサ。
【請求項２】
請求項１記載のエアコンプレッサであって、前記コンプレッサ本体は、前記エア生成部で生成された圧縮エアをそのままエアホースを経て外部に出力するタンクレス構造としたエアコンプレッサ。
【請求項３】
請求項１又は２記載のエアコンプレッサであって、前記コンプレッサ本体の電源として充電可能なバッテリを取り付け可能なエアコンプレッサ。
【請求項４】
請求項１〜３の何れか１項に記載したエアコンプレッサであって、前記コンプレッサ本体は、前記電動モータとしてブラシレスモータを備えたエアコンプレッサ。
【請求項５】
請求項１〜４の何れか１項に記載したエアコンプレッサであって、前記コンプレッサ本体は、前記電動モータとして、回転子の内周側に固定子を有するアウタロータモータを備えたエアコンプレッサ。
【請求項６】
請求項１〜５の何れか１項に記載したエアコンプレッサであって、前記コンプレッサ本体は、円筒形の本体ハウジング内に前記スクロール式のエア生成部が収容されており、該エア生成部が前記本体ハウジング内において径方向に最大スペースを占有する構成としたエアコンプレッサ。
【請求項７】
請求項６記載のエアコンプレッサであって、前記本体ハウジングと前記エア生成部との間に通風路を設けたエアコンプレッサ。
【請求項８】
請求項７記載のエアコンプレッサであって、前記本体ハウジング内に、電動モータの動作制御を行うコントローラ、冷却ファン、前記電動モータ、前記エア生成部が順次直列に配置されており、該本体ハウジングの、前記コントローラの周囲に吸気孔を備え、前記エア生成部の周囲に排気孔を備えたエアコンプレッサ。
【請求項９】
請求項８記載のエアコンプレッサであって、前記吸気孔に防塵フィルタを備えたエアコンプレッサ。
【請求項１０】
請求項１〜９の何れか１項に記載したエアコンプレッサであって、出力用のエアホースを接続するためのホース接続部を使用者とは反対側に位置させて身に付ける構成としたエアコンプレッサ。
【請求項１１】
請求項１〜１０の何れか１項に記載したエアコンプレッサであって、前記エア生成部に注油するための注油口を供えたエアコンプレッサ。
【請求項１２】
請求項１〜１０の何れか１項に記載したエアコンプレッサであって、前記エア生成部に注油するための注油タンクを備えたエアコンプレッサ。
【発明の詳細な説明】
【技術分野】
【０００１】
この発明は、例えば圧縮エア式の打ち込み工具等のエア工具の駆動源となる圧縮エアを生成するためのエアコンプレッサに関する。
【背景技術】
【０００２】
電動モータを駆動源とする電動式のエアコンプレッサには、圧縮エア生成の原理としてレシプロ式とスクロール式が知られている。前者のレシプロ式のエアコンプレッサに関する従来の技術が下記の特許文献に開示されている。レシプロ式のエアコンプレッサは、シリンダ内を往復動するピストンを内装するためトルクの脈動が比較的大きくなる。その結果、レシプロ式のエアコンプレッサは振動、騒音が大きく、また装置の小型化が困難という問題がある。
【０００３】
一方、後者のスクロール式コンプレッサの場合には、レシプロ式のようにシリンダ内でピストンを往復動させて圧縮エアを生成する構成を有しないのでトルクの脈動が比較的小さい結果、振動、騒音が小さいという利点を有している。また、スクロール式コンプレッサは体積効率がよいため小型で大きな吐出量を得ることが容易である特徴を有している。
【先行技術文献】
【特許文献】
【０００４】
【特許文献１】特開平１−１４２２８３号公報
【発明の概要】
【発明が解決しようとする課題】
【０００５】
従来、振動、騒音が小さく、小型化が可能なスクロール式のエアコンプレッサについて、上記エア工具の使用者が身に付けて携帯できる程度の携帯性に優れたものが提供されていなかった。本発明は、携帯性に優れたスクロール式のエアコンプレッサを提供することを目的とする。
【課題を解決するための手段】
【０００６】
上記の課題は以下の各発明により解決される。第１の発明は、電動モータを駆動源として、固定側スクロールに対して可動側スクロールを旋回運動させて圧縮エアを生成するスクロール式のエア生成部を内装したコンプレッサ本体と、該コンプレッサ本体を使用者が身に付けて携帯するための身に付け具を備えたエアコンプレッサである。
【０００７】
第１の発明によれば、使用者がコンプレッサ本体を例えば背負ったり、肩に掛けて、あるいは腰にぶら下げた状態で携行することができ、この点で当該エアコンプレッサの携帯性を高めることができる。「身に付け具」としては、バックパック形式の背負いベルト、肩掛けベルト、腰掛けベルト等を用いることができる。背負いベルトを用いることによりコンプレッサ本体を背中に背負って携帯することができ、肩掛けベルトを用いることによりコンプレッサ本体を肩に掛けて携帯することができ、腰ベルトを用いることによりコンプレッサ本体を腰に吊り下げた状態で携帯することができる。
【０００８】
このように身に付け具によりコンプレッサ本体を身に付けて両手を空けた手ぶら状態で携帯できることから、圧縮エアを駆動源とする打ち込み工具等の手持ち工具による作業を両手で効率よく行うことができ、この点で当該エアコンプレッサひいては手持ち式のエア工具の使い勝手を高めることができる。
【０００９】
身に付け具としてフック部を備えた構成としてもよい。このフック部を、使用者のズボンベルトに引き掛けておくことにより、コンプレッサ本体を腰に吊り下げた状態で携帯することができる。第１の発明における身に付け具は、使用者がコンプレッサ本体を手で持ち運ぶための手段ではなく、使用者の背中や腰等の身に付けることができて両手を空けた手ぶらの状態で携帯（携行）できるようにする機能を有するものと定義できる。
【００１０】
第２の発明は、第１の発明において、コンプレッサ本体は、エア生成部で生成された圧縮エアをそのままエアホースを経て外部に出力するタンクレス構造としたエアコンプレッサである。第２の発明によれば、生成した圧縮エアを一時的に貯留しておくための貯留タンクを省略した構成であるので、その分だけコンプレッサ本体の軽量化を図ることができ、これにより使用者が身に付けて携帯する携帯性をより高めることができる。
【００１１】
第３の発明は、第１又は第２の発明において、コンプレッサ本体の電源として充電可能なバッテリを取り付け可能なエアコンプレッサである。第３の発明によれば、ＡＣ電源による場合のような電源コードを有しないコードレスコンプレッサであることにより、当該エアコンプレッサの携帯性を一層高めることができる。
【００１２】
第４の発明は、第１〜第３の何れか一つの発明において、コンプレッサ本体は、電動モータとしてブラシレスモータを備えたエアコンプレッサである。第４の発明によれば、コンプレッサ本体の特に機長方向（モータ軸線方向）のコンパクト化（小型化）を図ることができ、この点でその携帯性を一層高めることができる。
【００１３】
第５の発明は、第１〜第４の何れか一つの発明において、コンプレッサ本体は、電動モータとして、回転子の内周側に固定子を有するアウタロータモータを備えたエアコンプレッサである。第５の発明によれば、低速かつ高トルク出力可能なアウタロータモータの利点を利用して減速ギヤ列を省略することによりコンプレッサ本体の軽量化及び低騒音化を一層図ることができ、これによりその携帯性を一層高めることができる。
【００１４】
第６の発明は、第１〜第５の何れか一つの発明において、コンプレッサ本体は、円筒形の本体ハウジング内にスクロール式のエア生成部が収容されており、このエア生成部が本体ハウジング内において径方向に最大スペースを占有する構成としたエアコンプレッサである。第６の発明によれば、エアコンプレッサとして必要な吐出力を確保する観点から決定されるスクロール式のエア生成部の径方向のサイズを優先しつつ、コンプレッサ本体の径方向のコンパクト化を図ることができる。
【００１５】
第７の発明は、第１〜第６の何れか一つの発明において、本体ハウジングとエア生成部との間に通風路を設けたエアコンプレッサである。第７の発明によれば、エア生成部の冷却が効率よく行われる。
【００１６】
第８の発明は、第１〜第７の何れか一つの発明において、本体ハウジング内に、電動モータの動作制御を行うコントローラ、冷却ファン、電動モータ、エア生成部が順次直列に配置されており、本体ハウジングの、コントローラの周囲に吸気孔を備え、エア生成部の周囲に排気孔を備えたエアコンプレッサである。第８の発明によれば、コントローラ、電動モータ及びエア生成部の冷却を効率よく行うことができる。
【００１７】
第９の発明は、第８の発明において、吸気孔に防塵フィルタを備えたエアコンプレッサである。第９の発明によれば、本体ハウジング内への異物の侵入を防止でき、これによりスクロール式のエア生成部での異物の噛み込みを未然に防止することができる。
【００１８】
第１０の発明は、第１〜第９の何れか一つの発明において、出力用のエアホースを接続するためのホース接続部を使用者とは反対側に位置させて身に付ける構成としたエアコンプレッサである。第１０の発明によれば、スクロール式のエア生成部で発生し、ホース接続部を経て放出される発熱の影響を、例えば当該エアコンプレッサを背負って携帯する使用者が受けにくくすることができ、これにより当該エアコンプレッサの使い勝手を高めることができる。
【００１９】
第１１の発明は、第１〜第１０の何れか１つの発明において、エア生成部に注油するための注油口を供えたエアコンプレッサである。第１１の発明によれば、固定側スクロールと可動側スクロールとの間に油膜を形成することにより当該エア生成部の気密性を高めることができ、ひいてはエアコンプレッサの効率を高め、またその耐久性を高めることができる。また、エア生成部に注油することにより生成される圧縮エアに油分を含めることができ、これにより当該圧縮エアを駆動源として用いるエア工具についてスムーズな動作を確保することができ、またその耐久性を高めることができる。第１１の発明によれば、注油口を経てエア生成部に潤滑油（タービン油）を直接滴下して注油することができるので、簡易な構成で上記の作用効果を得ることができる。
【００２０】
第１２の発明は、第１〜第１０の何れか１つの発明において、エア生成部に注油するための注油タンクを備えたエアコンプレッサである。第１２の発明によれば、第１１の発明と同じく、固定側スクロール及び可動側スクロールに注油することにより当該エア生成部の気密性を高めることができ、ひいてはエアコンプレッサの効率及び耐久性を高めることができる。また、エア生成部に注油することにより生成される圧縮エアに油分を含めることができ、これにより当該圧縮エアを駆動源として用いるエア工具についてスムーズな動作を確保することができ、またその耐久性を高めることができる。第１２の発明によれば、注油タンクに貯留した潤滑油が適宜エア生成部に注油される。
【図面の簡単な説明】
【００２１】
【図１】本実施形態に係るエアコンプレッサの全体斜視図である。
【図２】本実施形態に係るエアコンプレッサの右側面図である。
【図３】本実施形態に係るエアコンプレッサを図２中矢印(III)方向から見た上面図である。
【図４】図３の(IV)-(IV)線断面矢視図であって、本実施形態に係るエアコンプレッサの縦断面図である。
【図５】図３の(V)-(V)線断面矢視図であって、本実施形態に係るエアコンプレッサの縦断面図である。
【図６】図５の(VI)-(VI)線断面矢視図であって、本実施形態に係るエアコンプレッサの横断面図である。
【図７】エアコンプレッサの横断面図である。本図は、注油口を備えた第２実施形態に係るエア生成部を示している。
【図８】エアコンプレッサの縦断面図である。本図は、注油タンクを備えた第３実施形態に係るエア生成部を示している。
【図９】エアコンプレッサの、本体ハウジングを取り外した状態の上面図である。
【図１０】肩掛けベルトを取り付けたエアコンプレッサの正面図である。
【図１１】エアコンプレッサを使用者が背負った状態を示す側面図である。
【発明を実施するための形態】
【００２２】
次に、本発明の実施形態を図１〜図１１に基づいて説明する。図１及び図２に示すように本実施形態のエアコンプレッサＣＰは、概ね円柱体形状の外観を有して軽量かつコンパクトな電動式のコンプレッサ本体１と、このコンプレッサ本体１を使用者が身に付けて携帯するための「身に付け具」を備えている。コンプレッサ本体１は、使用者が手に持って使用する圧縮エア駆動式の釘打ち機等のエア工具Ｔに駆動源としての圧縮エアを供給する機能を有している。
【００２３】
コンプレッサ本体１の下面にバッテリ取り付け部３が設けられている。このバッテリ取り付け部３に、充電可能なバッテリパック（二次電池）２が取り付けられている。このバッテリパック２を電源としてコンプレッサ本体１が作動する。このバッテリパック２は、ねじ締め機や切断工具等の充電式電動工具のバッテリとしても利用できるリチウムイオンバッテリ（１８Ｖ）が適用されている。このバッテリパック２は、取り外して別途用意した充電器で充電することにより繰り返し使用することができる。このバッテリパック２は、バッテリ取り付け部３に対して正面側から背面側に向けてスライドさせることにより取り付けられ、背面側から正面側に向けてスライドさせることにより取り外すことができる。
【００２４】
コンプレッサ本体１はスクロール式のコンプレッサで、その内部構造が図４及び図５に示されている。このコンプレッサ本体１は、円筒形状の本体ハウジング１０に、下側から順にコントローラ１１、冷却ファン１２、電動モータ１３、エア生成部２０をほぼ直列に内装した構成を備えている。冷却ファン１２と電動モータ１３とエア生成部２０は、相互に結合された上側機構ベース１５と下側機構ベース１４を介してアセンブリ化された機構部４を構成している。
【００２５】
コントローラ１１は、バッテリパック２の電源制御回路及び電動モータ１３の制御回路等の基板を底浅のケース内に収容した構成を備えている。コントローラ１１は、本体ハウジング１０の底部に固定されている。コントローラ１１の上方に冷却ファン１２が位置している。冷却ファン１２は、電動モータ１３の出力軸１３ａに取り付けられている。
【００２６】
電動モータ１３はアウタロータ形のブラシレスモータで、回転子１３ｂの内周側に固定子１３ｃを備えている。回転子１３ｂには円筒形のホルダ１７が取り付けられている。ホルダ１７の中心に出力軸１３ａが固定されている。出力軸１３ａは、下側の軸受け１４ａと上側の軸受け１４ｂを介して下側機構ベース１４に回転自在に支持されている。下側の軸受け１４ａにはニードルベアリングが用いられ、上側の軸受け１４ｂにはボールベアリングが用いられている。固定子１３ｃは、下側機構ベース１４の下面側ボス部１４ｃに固定されている。
【００２７】
出力軸１３ａの上部には偏心孔１３ｄが設けられている。この偏心孔１３ｄに、スクロール式のエア生成部の可動側スクロール（渦巻き体）２１が回転可能に支持されている。可動側スクロール２１に対向して上側に固定側スクロール２２が配置されている。固定側スクロール２２は、上側機構ベース１５に固定されている。出力軸１３ａの回転により、可動側スクロール２１が固定側スクロール２２に対して旋回運動することにより、圧縮エアが生成される。生成された圧縮エアは、固定側スクロール２２の中心に設けた吐出口２２ａを経てエア室２４に排出される。吐出口２２ａには、逆止弁２３が取り付けられている。エア室２４には、吐出管２５を介してホース接続部２６が接続されている。また、エア室２４には、圧力計２７が取り付けられている。この圧力計２７により、吐出される圧縮エアのエア圧を確認することができる。
【００２８】
本体ハウジング１０の下部側には、内部に外気（冷却風）を導入するための吸気口１０ａ〜１０ａが設けられている。本体ハウジング１０の上部側には、導入された外気を外部へ排出するための排気口１０ｂ〜１０ｂが設けられている。図示するように吸気口１０ａ〜１０ａ及び排気口１０ｂ〜１０ｂは、上下に長いスリット形の貫通溝孔で、本体ハウジング１０の周囲に沿って多数並列に配置されている。図４及び図５に示すように、吸気口１０ａ〜１０ａは、コントローラ１１及び冷却ファン１２の周囲に配置されている。排気口１０ｂ〜１０ｂは、エア生成部２０の周囲に配置されている。電動モータ１３の起動により冷却ファン１２が一体で回転すると、吸気口１０ａ〜１０ａを経て外気が本体ハウジング１０内に吸気される。吸気された外気は冷却ファン１２により電動モータ１３の回転子１３ｂ及び固定子１３ｃに吹き付けられてその冷却がなされる。ホルダ１７には、複数の通風孔１７ａ〜１７ａが設けられている。
【００２９】
冷却ファン１２により吸気口１０ａ〜１０ａから上方へ向けて流れる冷却風は、下側機構ベース１４の外周側及びエア生成部２０の外周側を経て排気口１０ｂ〜１０ｂから外部に排気される。エア生成部２０の外周には、本体ハウジング１０との間に、冷却風を通過させるために十分な隙間（通風路１５ｂ〜１５ｂ）が空けられて、大きな通風抵抗が発生しないようになっており、これにより排気口１０ｂ〜１０ｂを経たスムーズな排気がなされるようになっている。
【００３０】
図６及び図９に示すように上側機構ベース１５には、その周囲四等分位置から放射方向に張り出す支持凸部１５ａ〜１５ａが設けられている。上側機構ベース１５の隣接する支持凸部１５ａ，１５ａ間に、通風路１５ｂが形成されている。各通風路１５ｂは、エア生成部２０の外周側と本体ハウジング１０の排気口１０ｂ〜１０ｂとの間に位置している。冷却ファン１２の回転により吸気口１０ａ〜１０ａから導入された冷却風（外気）は本体ハウジング１０内を上方へ流れた後、この通風路１５ｂ〜１５ｂを経てスムーズに排気口１０ｂ〜１０ｂから排出される。
【００３１】
エア生成部２０（可動側スクロール２１と固定側スクロール２２）の径方向のサイズは、必要な吐出量を得るために必要なサイズを有している。機構部４において、このエア生成部２０が径方向のサイズについて最も大きなスペースを占有している。このため、冷却ファン１２、電動モータ１３及び上下の機構ベース１４，１５の径方向のサイズは、何れもエア生成部２０よりも同等か若しくは小さくなっている。これにより、必要な吐出量を確保しつつ、当該機構部４ひいてはコンプレッサ本体１の径方向のサイズについてコンパクト化が図られている。
【００３２】
本体ハウジング１０の上部には、左右一対のベルト掛け部１８，１８が設けられている。図１０に示すようにこのベルト掛け部１８，１８には、使用者が当該コンプレッサ本体１を身に付けて携帯するための身に付け具の一例として肩掛け用の肩掛けベルト１９を装着することができる。使用者は肩掛けベルト１９を肩に掛けることによりコンプレッサ本体１を身に付けて両手を空けた手ぶらの状態で携帯することができ、これによりエア工具Ｔを両手で把持して効率よく作業を行うことができる。
【００３３】
また、持ち運び式のエアコンプレッサの場合には、持ち運び時には少なくとも片手が塞がってしまい、作業時には安定した床面等に設置しておく必要があるが、本実施形態に係るエアコンプレッサ１の場合、両手を空けた手ぶら状態でコンプレッサ本体１を携帯することができ、かつそのまま打ち込み作業等を行うことができるので、持ち運び式のエアコンプレッサに比して大幅に作業性及び取り扱い性を高めることができる。
図３に示すようにコンプレッサ本体１の上面には、前記した圧力計２７のほか、電源スイッチ２８、動作表示灯２９が配置されている。
【００３４】
以上のように構成した本実施形態のエアコンプレッサＣＰによれば、使用者は肩掛けベルト１９を用いてコンプレッサ本体１を肩に掛けて両手が空いた手ぶら状態で携帯することができる。また、コンプレッサ本体１を肩に掛けた状態のままで両手でエア工具Ｔを用いて作業を行うことができるので、確実な作業を効率よく行うことができる。
【００３５】
また、例示したコンプレッサ本体１は、固定スクロール２２に対して可動スクロール２１を回転させて圧縮エアを吐出するスクロール式のエア生成部２０を備えていることから、低振動かつ低騒音であり、また体積効率がレシプロ式よりも高いため容易にコンパクト化を図ることができ、この点でも、使用者が身に付けて携帯する際の携帯性が高められている。
【００３６】
以上例示した実施形態には種々変更を加えることができる。例えば、肩掛けベルト１９を用いてコンプレッサ本体１を肩に掛けて携帯可能な構成を例示したが、肩掛けベルト１９に代えて腰ベルトを装着することにより、コンプレッサ本体１を腰に吊り下げた状態で携帯可能な構成としてもよい。
【００３７】
また、肩掛けベルト１９や腰ベルトに代えて、例えばベルト掛け部１８にフックを取り付け、このフックを介してコンプレッサ本体１を作業ズボンのベルトに引き掛けて手ぶら状態で携帯する構成としてもよい。
【００３８】
さらに、図１１に示すようにコンプレッサ本体１に身に付け具として背負いベルト３０を装着することにより、当該コンプレッサ本体１を背中に背負って携帯可能な構成とすることもできる。背負いベルト３０は、背当て部３１と、肩ベルト部３２，３２と腰ベルト部３３を備えている。背当て部３１には、コンプレッサ本体１を保持するための本体固定ベルト３１ａ，３１ａが設けられている。この上下の本体固定ベルト３１ａ，３１ａによりコンプレッサ本体１を背当て部３１の後面に沿って保持することができる。この場合、図１１に示すようにホース接続部２６を背後に向けた状態で当該コンプレッサ本体１を背当て部３１に固定することにより使用者は背負った際にエア生成部２０等の発熱の影響を背中に受けにくくすることができる。
【００３９】
背当て部３１の上部左右に肩ベルト部３２，３２の上部側が結合されている。左右の肩ベルト部３２，３２の下部側は腰ベルト部３３の左右上部に結合されている。腰ベルト部３３は、バックル部３３ａを締め付けることにより腰周りに沿って固定することができる。使用者は、この背負いベルト３０を用いることによりコンプレッサ本体１を背中に背負って携帯することができる。
【００４０】
また、身に付け具として背負いベルト３０を用いてコンプレッサ本体１を背中に背負って携帯することにより、前記肩掛けベルト１９を用いて携帯する場合よりもさらに作業性を高めることができる。
【００４１】
以上例示したコンプレッサ本体１にはさらに変更を加えることができる。図７にはエア生成部２０に対する注油をするための注油口１０ｃを設けた第２実施形態に係るコンプレッサ本体が示されている。また、図８には同じくエア生成部２０に対して注油するための注油タンク３４を備えた第３実施形態に係るコンプレッサ本体が示されている。変更を要しない部材及び構成については同位の符号を用いてその説明を省略する。
【００４２】
図７に示すように第２実施形態に係るコンプレッサ本体１は、その側部に注油口１０ｃを備えている。注油口１０ｃには、注油ノズル１０ｄが取り付けられている。注油ノズル１０ｄの先端側は、エア生成部２０の固定側スクロール２２に至っている。注油口１０ｃを経て注油された潤滑油（タービン油）が注油ノズル１０ｄを経て固定側スクロール２２の主として壁面に滴下される。滴下された潤滑油は、可動側スクロール２１の回転により当該可動側スクロール２１及び固定側スクロール２２の壁面に広がって油膜が形成される。これにより、可動側スクロール２１と固定側スクロール２２との間の気密性を高めてエア生成効率を高めることができる。また、固定側スクロール２２に対する可動側スクロール２１の摺接による摩擦が低減されることから、この点でもエア生成効率を高めることができる。
【００４３】
また、注油口１０ｃを経てエア生成部２０に十分な潤滑油が注油されることにより、可動側スクロール２１と固定側スクロール２２の壁面に潤滑油の油膜が形成されるとともに、生成された圧縮エアに適度な油分を含ませることができる。適度な油分を含んだ圧縮エアがエアホースを経てエア工具に供給（注油）されることにより、当該エア工具のスムーズな作動を実現することができ、またその耐久性を高めることができる。
【００４４】
上記注油口１０ｃに代えて、注油タンク３４を設けることができる。図８は、注油タンク３４を備えた第３実施形態に係るコンプレッサ本体１を示している。第２実施形態と同じく変更を要しない部材及び構成については同位の符号を用いてその説明を省略する。第３実施形態では、注油タンク３４は、本体ハウジング１０の側部内側に取り付けられている。この注油タンク３４には、本体ハウジング１０の側部に設けた補充口３４ａを経て潤滑油（タービン油）を補充することができる。注油タンク３４の上面には注油ノズル３４ｂが取り付けられている。注油ノズル３４ｂの先端側は、エア生成部２０の固定側スクロール２２の側部に設けた注油孔３４ｃに接続されている。補充口３４ａから注油タンク３４に補充された潤滑油は、注油ノズル３４ｂを経て可動側スクロール２１と固定側スクロール２２との間に自動的に滴下される。
【００４５】
滴下された潤滑油は、第２実施形態と同じく可動側スクロール２１の回転により当該可動側スクロール２１及び固定側スクロール２２の壁面に広がって油膜が形成される。これにより、可動側スクロール２１と固定側スクロール２２との間の気密性を高めてエア生成効率を高めることができる。また、固定側スクロール２２に対する可動側スクロール２１の摺接による摩擦が低減されてスムーズなエア生成がなされるとともに、エアホースを経てエア工具に適度な油分を含んだ圧縮エアが供給されることにより当該エア工具のスムーズな動作を実現でき、またその耐久性を高めることができる。
【００４６】
以上説明した第２、第３実施形態において、注油ノズル１０ｄ，３４ｂを分岐することによりエア生成部２０に加えて、軸受け１４ａ，１４ｂ、偏心孔１３ｄに装着した軸受けスリーブや可動側スクロール２１の下面側に装着したスラスト軸受けに対する注油を行う構成としてもよい。
【００４７】
また、以上例示した第１〜第３実施形態では、充電式バッテリを電源とする構成を例示したが、交流電源を電源とする場合にも同様に適用することができる。交流電源を電源として用いる場合には、背負いベルト等の身に付け具を用いた携帯式ではなく、据え置き式のエアコンプレッサとして用いることができる。
【符号の説明】
【００４８】
ＣＰ…エアコンプレッサ
１…コンプレッサ本体（スクロール式）
２…バッテリパック
３…バッテリ取り付け部
４…機構部
１０…本体ハウジング
１０ａ…吸気口、１０ｂ…排気口、１０ｃ…注油口、１０ｄ…注油ノズル
１１…コントローラ
１２…冷却ファン
１３…電動モータ
１３ａ…出力軸、１３ｂ…回転子、１３ｃ…固定子、１３ｄ…偏心孔
１４…下側機構ベース、１４ａ，１４ｂ…軸受け、１４ｃ…下面側ボス部
１５…上側機構ベース、１５ａ…支持凸部、１５ｂ…通風路
１７…ホルダ、１７ａ…通風孔
１８…ベルト掛け部
１９…肩掛けベルト（身に付け具）
２０…エア生成部
２１…可動側スクロール
２２…固定側スクロール、２２ａ…吐出口
２３…逆止弁
２４…エア室
２５…吐出管
２６…ホース接続部
２７…圧力計
２８…電源スイッチ
２９…動作表示灯
３０…背負いベルト（身に付け具）
３１…背当て部、３１ａ…本体固定ベルト
３２…肩ベルト部
３３…腰ベルト部、３３ａ…バックル部
３４…注油タンク
３４ａ…補充口、３４ｂ…注油ノズル、３４ｃ…注油孔
Ｔ…エア工具
【図１】
2015086859.tif 000003
【図２】
2015086859.tif 000004
【図３】
2015086859.tif 000005
【図４】
2015086859.tif 000006
【図５】
2015086859.tif 000007
【図６】
2015086859.tif 000008
【図７】
2015086859.tif 000009
【図８】
2015086859.tif 000010
【図９】
2015086859.tif 000011
【図１０】
2015086859.tif 000012
【図１１】
2015086859.tif 000013